(57)【要約】【課題】コンペンケーブルによる騒音の発生や疲労破壊を防止し、また展望式エレベータの場合の美観を良好に保て、さらにコンペンケーブルに対するメンテナンスの作業を容易に能率よく行なうことができるエレベータ装置を提供する。【解決手段】巻上機３に巻き掛けられたメインロープ４を介して昇降路１内に吊り下げられ、その巻上機３による駆動で昇降路１内を昇降する乗りかご８及びつり合い重り９を備えるエレベータ装置において、つり合い重り９と昇降路１の上部の支持部１１との間にコンペンケーブル１０を掛け渡して昇降路１内にＵ字状に吊り下げる。コンペンケーブル１０は質量の大きい有効部１０ａと質量の小さいつなぎ部１０ｂとで構成し、その有効部１０ａ側をつり合い重り９に接続し、つなぎ部１０ｂ側を昇降路１の上部の支持部１１に接続する。【選択図】    図１
2009051638.tif 000002
【特許請求の範囲】
【請求項１】
巻上機に巻き掛けられたメインロープを介して昇降路内に吊り下げられ、その巻上機による駆動で昇降路内を昇降する乗りかご及びつり合い重りと、
前記つり合い重りと前記昇降路の上部の支持部との間に掛け渡されて前記昇降路内に吊り下げられたコンペンケーブルと、
を具備することを特徴とするエレベータ装置。
【請求項２】
前記昇降路内が隔壁により第１の通路と第２の通路とに仕切られ、前記第１の通路内に前記乗りかごが吊り下げられ、前記第２の通路内に前記つり合い重りが吊り下げられていることを特徴とする請求項１に記載のエレベータ装置。
【請求項３】
前記昇降路内には、前記コンペンケーブルの途中の一部を囲んで該コンペンケーブルの揺れを防止するガイド部材が設けられていることを特徴とする請求項１又は２に記載のエレベータ装置。
【発明の詳細な説明】
【技術分野】
【０００１】
この発明は、巻上機に巻き掛けられたメインロープの一端側に乗りかごが、他端側につり合い重りが取り付けられて昇降路内に吊り下げられ、前記巻上機による駆動で乗りかご及びつり合い重りが昇降路内で昇降するロープ式のエレベータ装置に関する。
【背景技術】
【０００２】
ロープ式のエレベータ装置は、例えば昇降路の上部の機械室に巻上機が設置され、この巻上機にメインロープが巻き掛けられ、このメインロープの一端側に乗りかごが、他端側につり合い重りが取り付けられ、これら乗りかごとつり合い重りが昇降路内に吊り下げられ、この状態で巻上機による駆動で乗りかご及びつり合い重りが互いに逆方向に昇降移動する。
【０００３】
そして、乗りかご及びつり合い重りの昇降移動に伴う位置の変化で生じる乗りかご側のメインロープの荷重分とつり合い重り側のメインロープの荷重分との重量差の変化を補償するためにコンペンケーブルが設けられている。
【０００４】
一般にこのコンペンケーブルは、乗りかごの下端部とつり合い重りの下端部との間にＵ字状に掛け渡されて昇降路内に吊り下げられ、その下端部にはコンペンケーブルに所定の張りを与える張り車が設けられている。ところが、このようなコンペンケーブルでは、張り車が必要で構造が複雑となる。
【０００５】
そこで、特開２００５−３２０１０５公報には、つり合い重りにコンペンケーブルを取り付けて吊り下げ、このコンペンケーブルの下端部を拘束することなく、フリーな状態で昇降路下部のピット部に設置したコンペンケーブル収納箱内にとぐろ状に収納し、或いはピット部にとぐろ状に直置きして構造の簡素化を図る提案がなされている。
【特許文献１】特開２００５−３２０１０５公報
【発明の開示】
【発明が解決しようとする課題】
【０００６】
しかしながら、コンペンケーブルを吊り下げてピット部に垂れ下げる構造では、コンペンケーブルがピット部に対して脱着する際に騒音が生じ、またコンペンケーブルが不規則に屈曲してピット部に脱着するため疲労破壊が早期に生じ、特に高行程で高速のエレベータでは、コンペンケーブルがピット部で大きくばたつくため、より大きな騒音が生じ、またより早期に疲労破壊が生じてしまう。
【０００７】
さらに、昇降路内にコンペンケーブルが無造作に垂れ下がってピット部に達していると、昇降路内を外部から目視することが可能な展望式エレベータの場合、そのコンペンケーブルにより美観が損なわれ、さらにコンペンケーブルのメンテナンスの際には作業員がいちいちピット部にまで降りて作業を行なわなければならない。
【０００８】
この発明はこのような点に着目してなされたもので、その目的とするところは、コンペンケーブルによる騒音の発生や疲労破壊を防止し、また展望式エレベータの場合の美観を良好に保て、さらにコンペンケーブルに対するメンテナンスの作業を容易に能率よく行なうことができるエレベータ装置を提供することにある。
【課題を解決するための手段】
【０００９】
請求項１の発明は、巻上機に巻き掛けられたメインロープを介して昇降路内に吊り下げられ、その巻上機による駆動で昇降路内を昇降する乗りかご及びつり合い重りと、前記つり合い重りと前記昇降路の上部の支持部との間に掛け渡されて前記昇降路内に吊り下げられたコンペンケーブルとを具備することを特徴としている。
【００１０】
請求項２の発明は、前記昇降路内が隔壁により第１の通路と第２の通路とに仕切られ、前記第１の通路内に前記乗りかごが吊り下げられ、前記第２の通路内に前記つり合い重りが吊り下げられていることを特徴としている。
【００１１】
請求項３の発明は、前記昇降路内に、前記コンペンケーブルの途中の一部を囲んで該コンペンケーブルの揺れを防止するガイド部材が設けられていることを特徴としている。
【発明の効果】
【００１２】
この発明によれば、コンペンケーブルによる騒音の発生や疲労破壊を防止でき、また展望式エレベータの場合の美観を良好に保て、さらにコンペンケーブルに対するメンテナンスの作業を容易に能率よく行なうことができる。
【発明を実施するための最良の形態】
【００１３】
以下、この発明の実施形態について図面を参照して説明する。
【００１４】
図１には第１の実施形態を示してある。昇降路１の上部には機械室２が設けられ、この機械室２に巻上機３が設置され、この巻上機３にメインロープ４が巻き掛けられている。メインロープ４は一端側が直接昇降路１内に導出され、他端側がそらせシーブ５を介して昇降路１内に導出されている。そして、メインロープ４の一端側の端部に乗りかご８が、他端側の端部につり合い重り９が取り付けられて昇降路１内に吊り下げられ、この状態で巻上機３による駆動で乗りかご８及びつり合い重り９が互いに逆方向に昇降移動する。
【００１５】
つり合い重り９の下端部にはコンペンケーブル１０が取り付けられている。このコンペンケーブル１０は、例えば鎖や鋼索などのような単位長さの質量が比較的大きい屈曲可能な材料からなる有効部１０ａと、細径のロープなどのような単位長さの質量が比較的小さい屈曲可能な材料からなるつなぎ部１０ｂとで構成されている。有効部１０ａとつなぎ部１０ｂは直列状につながれ、有効部１０ａの解放側の一端部がつり合い重り９の下端部に接続され、つなぎ部１０ｂの解放側の一端部が昇降路１の天井部の支持部１１に接続され、そのコンペンケーブル１０の全長部分が昇降路１内にＵ字状に吊り下げられている。
【００１６】
図１（Ａ）は乗りかご８が昇降路１内の最下部に、つり合い重り９が最上部にそれぞれ位置し、コンペンケーブル１０の有効部１０ａの全長区間がつり合い重り９の下方に垂直に垂れ下がる状態にある。この状態では、乗りかご８側のメインロープ４が長い区間に渡って延びるがこの部分の荷重がつり合い重り９側におけるコンペンケーブル１０の有効部１０ａの荷重とほぼつり合い、バランスがとられている。そして、図１（Ｂ）に示すように、乗りかご８が上昇し、乗りかご８側のメインロープ４の長さが減少すると、これに応じてつり合い重り９が下降するとともにコンペンケーブル１０の有効部１０ａがＵ字状に屈曲してその有効部１０ａによる荷重の一部がコンペンケーブル１０の支持部１１にかかり、これによりつり合い重り９側にかかる有効部１０ａの荷重が乗りかご８側のメインロープ４の長さの減少に対応するように減少し、乗りかご８側とつり合い重り９側との重量差の変化が補償される。図１（Ｂ）は乗りかご８が昇降路１内の最上部に、つり合い重り９が最下部にそれぞれ位置したときの状態を示してあり、この状態ではコンペンケーブル１０の有効部１０ａのほぼ全長区間分の荷重が支持部１１にかかり、つり合い重り９側には有効部１０ａのごく一部の荷重が加わるのみとなる。
【００１７】
このように機能するコンペンケーブル１０は、つり合い重り９と昇降路１の上部との間にＵ字状に掛け渡され、昇降路１のピット部１２と常時離れる状態で支持され、コンペンケーブル１０がピット部１２に対して脱着するようなことがなく、したがってその脱着に伴う騒音が生じることがなく、またコンペンケーブル１０がとぐろを巻くような不規則形状に屈曲するようなことがないから疲労破壊を招くようなこともない。
【００１８】
さらに、コンペンケーブル１０が昇降路１のピット部１２に達するように無造作に垂れ下がることがないから、昇降路１内を外部から目視することが可能な展望式エレベータのような場合であっても美観を損ねることがなく、またコンペンケーブル１０が昇降路１の途中の位置に保持されているため、メンテナンスの際にわざわざ作業員がピット部１２にまで降りて作業するような煩わしさがなく、作業員が乗りかご８の上に乗り、乗りかご８を上下に移動させながらコンペンケーブル１０に対するメンテナンスを容易に能率よく行なえる。
【００１９】
図２には第２の実施形態を示してある。なお、図１に示す構成と対応する部分には同一の符号を付して重複する説明を省略する。
【００２０】
この実施形態においては、昇降路１内に隔壁１５が垂直に設けられ、この隔壁１５により昇降路１内が第１の通路１ａと第２の通路１ｂとに仕切られている。第１の通路１ａは昇降路１内の前部に位置され、第２の通路１ｂは昇降路１内の後部に位置している。そして昇降路１内の前部の第１の通路１ａ内に乗りかご８が吊り下げられ、後部の第２の通路１ｂ内につり合い重り９とコンペンケーブル１０とが吊り下げられている。つり合い重り９に設けられたコンペンケーブル１０はつり合い重り９の下端部と第２の通路１ｂの天井部における支持部１１との間にＵ字状に掛け渡されている。
【００２１】
このようにこの実施形態では、乗りかご８が移動する空間領域とつり合い重り９が移動する空間領域とが隔壁１５により仕切られており、このため地震や強風などでコンペンケーブル１０が揺れるようなことがあっても、乗りかご８と接触するような危険がない。
【００２２】
また、昇降路１が隔壁１５で仕切られているから、昇降路１の壁面が透視可能なガラスなどの透明材や枠柵などで構成された展望式エレベータの場合において、昇降路１を前部側から見たときにつり合い重り９及びコンペンケーブル１０が隔壁１５により隠されて視界に入らず、このため良好な美観を保つことができる。
【００２３】
図３には第３の実施形態を示してある。なお、図１に示す構成と対応する部分には同一の符号を付して重複する説明を省略する。
【００２４】
この実施形態においては、昇降路１の壁面部にガイド部材１６が取り付けられている。このガイド部材は図４に示すように、３つの側壁１６ａ，１６ｂ，１６ｃを有するコ字状をなし、その側壁１６ａ，１６ｂ，１６ｃの内側にコンペンケーブル１０が通されている。つまり、コンペンケーブル１０の途中の一部がガイド部材１６の３つの側壁１６ａ，１６ｂ，１６ｃで囲まれている。
【００２５】
このような構成においては、ガイド部材１６によりコンペンケーブル１０の揺れ動きが規制され、コンペンケーブル１０が乗りかご８やつり合い重り９の移動による振動や地震、強風などの影響を受けてもコンペンケーブル１０の揺れ動きをガイド部材１６で規制でき、コンペンケーブル１０と乗りかご８や昇降路用品などとの接触を防止することができる。
【００２６】
なお、コンペンケーブル１０、昇降路の天井部に取り付けて支持する場合に限らず、昇降路内上部の昇降路用品に取り付けて支持する場合、あるいは昇降路上部の機械室用品に取り付けて支持する場合などであってもよい。
【図面の簡単な説明】
【００２７】
【図１】この発明の第１の実施形態に係るエレベータ装置の全体の構成を示す説明図。
【図２】この発明の第２の実施形態に係るエレベータ装置の全体の構成を示す説明図。
【図３】この発明の第３の実施形態に係るエレベータ装置の全体の構成を示す説明図。
【図４】この発明の第３の実施形態に係るエレベータ装置におけるガイド部材の斜視図。
【符号の説明】
【００２８】
１…昇降路
１ａ…第１の通路
１ｂ…第２の通路
２…機械室
３…巻上機
４…メインロープ
８…乗りかご
１０…コンペンケーブル
１１…支持部
１２…ピット部
１５…隔壁
１６…ガイド部材
【図１】
2009051638.tif 000003
【図２】
2009051638.tif 000004
【図３】
2009051638.tif 000005
【図４】
2009051638.tif 000006